(57)【要約】【課題】ジャム発生時に１対のロールによって挟圧された用紙を給紙トレイ側に引き戻すことができる給紙装置を提供する。【解決手段】収容空間１０５を内部に有する装置本体２と、装置本体２の収容空間１０５に出入可能に収容され、用紙を内部に積載可能な給紙トレイ３と、給紙トレイ３の給紙側に配置され、用紙の先端を位置合わせて給紙方向に用紙を供給する１対のレジロール６０，６１とを備え、１対のレジロール６０，６１のうち一方のレジロール６０は、装置本体２からの給紙トレイ３の引き出しによって給紙方向と反対の方向に回転可能に配置されている。【選択図】図２
2010076882.tif 000002
【特許請求の範囲】
【請求項１】
収容空間を内部に有する装置本体と、
前記装置本体の前記収容空間に出入可能に収容され、用紙を内部に積載可能な給紙トレイと、
前記給紙トレイの給紙側に配置され、用紙の先端を位置合わせて給紙方向に用紙を供給する１対のロールとを備え、
前記１対のロールのうち少なくとも一方のロールは、前記装置本体からの前記給紙トレイの引き出しによって給紙方向と反対の方向に回転可能に配置されている
給紙装置。
【請求項２】
前記１対のロールのうち少なくとも一方のロールは、前記給紙トレイの引き出しによる歯車伝達機構の作動によって給紙方向と反対の方向に回転する請求項１に記載の給紙装置。
【請求項３】
前記歯車伝達機構は、前記給紙トレイにその出入方向に沿って形成されたラックギヤ、及び前記ラックギヤに噛合可能なピニオンギヤを含むピニオンギヤ群を有し、前記１対のロールのうち少なくとも一方のロールと前記給紙トレイとの間に配置されている請求項２に記載の給紙装置。
【請求項４】
前記１対のロールのうち少なくとも一方のロールは、前記給紙トレイの第１引き出し動作によるカム機構の作動によって他方のロールから圧接力を受ける請求項１に記載の給紙装置。
【請求項５】
前記１対のロールのうち少なくとも一方のロールは、前記第１引き出し動作に後行する前記給紙トレイの第２引き出し動作よる前記カム機構の作動によって他方のロールによる圧接状態が解除される請求項４に記載の給紙装置。
【請求項６】
前記カム機構は、前記給紙トレイにその出入方向に沿って形成されたカム面、前記カム面への摺接によって回転する回転アーム、及び前記回転アームの回転力を押圧力として前記１対のロールのうち他方のロールに伝達する押圧力伝達具を有し、前記１対のロールのうち他方のロールと前記給紙トレイとの間に配置されている請求項４に記載の給紙装置。
【請求項７】
請求項１〜６のいずれか１項に記載の給紙装置を備えた画像形成装置。
【発明の詳細な説明】
【技術分野】
【０００１】
本発明は、給紙装置及びこれを備えた画像形成装置に関する。
【背景技術】
【０００２】
従来の給紙装置として、収容空間を内部に有する装置本体と、この装置本体の収容空間に挿抜可能に収容された給紙トレイと、この給紙トレイの給紙側で用紙の先端を位置合わせて給紙方向に用紙を供給する１対のロールとを備えたものがある（例えば、特許文献１参照。）。
【０００３】
このような給紙装置においては、給紙時に紙詰まり（ジャム）を発生させることなく、給紙が行われることが望ましい。
【特許文献１】特開２００５−２９８２０９号公報
【発明の開示】
【発明が解決しようとする課題】
【０００４】
本発明の目的は、ジャム発生時に給紙トレイを引き出すときに、１対のロール間に挟圧された用紙を給紙トレイ側に引き戻すことができる給紙装置及びこれを備えた画像形成装置を提供することにある。
【課題を解決するための手段】
【０００５】
（１）本発明は、上記目的を達成するために、収容空間を内部に有する装置本体と、前記装置本体の前記収容空間に出入可能に収容され、用紙を内部に積載可能な給紙トレイと、前記給紙トレイの給紙側に配置され、用紙の先端を位置合わせて給紙方向に用紙を供給する１対のロールとを備え、前記１対のロールのうち少なくとも一方のロールは、前記装置本体からの前記給紙トレイの引き出しによって給紙方向と反対の方向に回転可能に配置されている給紙装置を提供する。
【０００６】
（２）上記（１）に記載の給紙装置において、前記１対のロールのうち少なくとも一方のロールは、前記給紙トレイの引き出しによる歯車伝達機構の作動によって給紙方向と反対の方向に回転する。
【０００７】
（３）上記（２）に記載の給紙装置において、前記歯車伝達機構は、前記給紙トレイにその出入方向に沿って形成されたラックギヤ、及び前記ラックギヤに噛合可能なピニオンギヤを含むピニオンギヤ群を有し、前記１対のロールのうち少なくとも一方のロールと前記給紙トレイとの間に配置されている。
【０００８】
（４）上記（１）に記載の給紙装置において、前記１対のロールのうち少なくとも一方のロールは、前記給紙トレイの第１引き出し動作によるカム機構の作動によって他方のロールから圧接力を受ける。
【０００９】
（５）上記（４）に記載の給紙装置において、前記１対のロールのうち少なくとも一方のロールは、前記第１引き出し動作に後行する前記給紙トレイの第２引き出し動作よる前記カム機構の作動によって他方のロールによる圧接状態が解除される。
【００１０】
（６）上記（４）に記載の給紙装置において、前記カム機構は、前記給紙トレイにその出入方向に沿って形成されたカム面、前記カム面への摺接によって回転する回転アーム、及び前記回転アームの回転力を押圧力として前記１対のロールのうち他方のロールに伝達する押圧力伝達具を有し、前記１対のロールのうち他方のロールと前記給紙トレイとの間に配置されている。
【００１１】
（７）本発明は、上記目的を達成するために、上記（１）〜（６）のいずれか１項に記載の給紙装置を備えた画像形成装置を提供する。
【発明の効果】
【００１２】
請求項１〜６に記載の給紙装置によると、給紙トレイを引き出すときに、１対のロール間に挟圧された用紙を給紙トレイ側に引き戻すことができる。
【００１３】
請求項７に記載の画像形成装置によると、給紙装置において、給紙トレイを引き出すときに、１対のロール間に挟圧された用紙を給紙トレイ側に引き戻すことができる。
【発明を実施するための最良の形態】
【００１４】
[第１の実施の形態]
先ず、本発明の第１の実施の形態に係る画像形成装置につき、図１を用いて説明する。図１は、本発明の第１の実施の形態に係る給紙装置が適用された画像形成装置の全体を説明するために示す断面図である。
【００１５】
〔画像形成装置の全体構成〕
図１において、符号１００で示す画像形成装置は、装置筐体１０１を有するとともに、画像形成部１０２及び用紙供給部１０３を装置筐体１０１に内蔵し、例えば複写機に適用される。
【００１６】
（装置筐体１０１の構成）
装置筐体１０１は、図１に示すように、その上部が排出トレイ１０４として形成されている。装置筐体１０１内には、画像形成部１０２及び用紙供給部１０３等を収容する収容空間１０５が、また用紙供給部１０３から供給された用紙を画像形成部１０２及び排出トレイ１０４に導く用紙搬送路１０６がそれぞれ設けられている。
【００１７】
（画像形成部１０２の構成）
画像形成部１０２は、例えば電子写真方式の画像形成部からなり、像担持体としての感光体ドラム１１１と、この感光体ドラム１１１を帯電する帯電装置１１２と、感光体ドラム１１１上に形成された静電潜像をトナーにて可視化する現像装置１１３と、感光体ドラム１１１上の残留トナーを清掃するクリーニング装置１１４と、帯電装置１１２によって一様に帯電された感光体ドラム１１１に光によって静電潜像を書き込むレーザ走査装置からなる露光装置１１５と、感光体ドラム１１１上に形成されたトナー像を用紙に転写する例えば転写ロールからなる転写装置１１６と、転写装置１１６によって転写されたトナー像を用紙に定着する定着装置１１７とを有し、用紙供給部１０３の上方に配置され、かつ収容空間１０５に収容されている。
【００１８】
用紙搬送路１０６において、その排出口近傍には感光体ドラム１１１，転写装置（転写ロール）１１６及び定着装置１１７と共に搬送部材として機能する排出ロール１０８が配置されている。
【００１９】
これにより、用紙供給部１０３から供給された用紙は、所定のタイミングで画像形成部１０２の画像転写部位に送出されて像転写された後、定着装置１１７を経て排出ロール１０８によって排出トレイ１０４に排出される。
【００２０】
(用紙供給部１０３の構成)
用紙供給部１０３は、給紙装置１（図３に示す）の一部を構成する給紙トレイ３及び傾動プレート４（図２に示す）を有するとともに、給紙トレイ３内に傾動プレート４を介して積載された用紙を画像形成部１０２に送出する用紙送出ユニット１０９を有し、画像形成部１０２の下方に配置され、かつ収容空間１０５の給紙トレイ挿抜（出入）口側に収容されている。用紙送出ユニット１０９は、フィードロール５（後述）、及び１対のレジロール６０，６１を有する用紙捌き機構６（後述）を有する。給紙トレイ３は、装置本体２の収容空間１０５に矢印ａ１，ａ２方向に沿って収容されている。
【００２１】
次に、本発明の第１の実施の形態に係る給紙装置つき、図１〜図５を用いて説明する。図２は、本発明の第１の実施の形態に係る給紙装置の全体を説明するために示す斜視図である。図３は、本発明の第１の実施の形態に係る給紙装置の要部を説明するために示す側面図である。図４は、本発明の第１の実施の形態に係る給紙装置の要部を説明するために示す断面図である。
【００２２】
〔給紙装置１の全体構成〕
図２において、符号１で示す給紙装置は、画像形成装置１００（図１に示す）における装置筐体１０１の一部を形成する装置本体２（図３に２点鎖線で示す）と、用紙を内部に積載可能な給紙トレイ３と、この給紙トレイ３内で用紙の残量に応じて傾動する傾動プレート４と、この傾動プレート４上に積載された用紙のうち最上位の用紙を送出するフィードロール５と、このフィードロール５によって送出された用紙を１枚ずつ捌く用紙捌き機構６と、この用紙捌き機構６と給紙トレイ３との間に介在する歯車伝達機構７と、この歯車伝達機構７の作動に連動して作動するカム機構８，８とから大略構成されている。
【００２３】
（装置本体２の構成）
装置本体２は、図１に示すように、画像形成装置１００における装置筐体１０１の下方部に配置されている。
【００２４】
装置本体２には、図２に示すように、給紙トレイ３の両側側方にそれぞれ位置する左右１対の取付プレート２０，２０（一部）が配置されている。装置本体２には、図３に２点鎖線で示すように、用紙捌き機構６のレジロール６１のロール軸６１０を給紙トレイ３の挿抜方向に移動可能に挿通させる長孔からなるロール軸挿通孔２１が設けられている。
【００２５】
左方の取付プレート２０には、図３に示すように、給紙トレイ３の側に突出し、かつ歯車伝達機構７におけるピニオンギヤ群７１のピニオンギヤ７１０，７１１を回転可能に支持する支軸２２，２３が、これら支軸２２，２３の軸線と平行な軸線をもつ円柱状のストッパ２４がそれぞれ一体に設けられている。ここで、「左方」とは、装置本体２のトレイ挿抜口側から給紙トレイ３の挿入方向を見た場合の左側をいう。
【００２６】
（給紙トレイ３の構成）
給紙トレイ３は、図２に示すように、トレイ前方（トレイ引き抜き方向）に突出する把手３０をトレイ前面部に有し、装置本体２の収容空間１０５（図１に示す）に矢印ａ１，ａ２方向に沿って挿抜可能に収容され、全体が上方に開口する略矩形状の箱体によって形成されている。そして、給紙トレイ３は、傾動プレート４を介して用紙を内部に積載するように構成されている。
【００２７】
（傾動プレート４の構成）
傾動プレート４は、図２に示すように、給紙トレイ３内に収容され、かつ給紙トレイ３のトレイ前面部及びトレイ背面部との間に反給紙側（給紙側と反対の側）で支軸４１，４２を介して傾動始端位置と傾動終端位置との間を傾動可能に配置されている。そして、傾動プレート４は、装置本体２への給紙トレイ３の挿入（押し入れ）によって給紙トレイ３への係止状態が解除され、これに伴いスプリング（図示せず）の弾撥力によって傾動始端位置から傾動終端位置側へ傾動するように、また装置本体２からの給紙トレイ３の引き抜き（引き出し）によって傾動始端位置に傾動復帰し、この傾動始端位置で給紙トレイ３に係止されるようにそれぞれ構成されている。この場合、装置本体２への給紙トレイ３の挿入状態においては、傾動プレート４が用紙の残量に応じた傾動位置（傾動始端位置と傾動終端位置との間の位置）に配置される。
【００２８】
傾動プレート４の給紙側端縁と給紙トレイ３の底面との間には、トレイ幅方向に所定の間隔をもって並列する１対のスプリング（図示せず）が弾装されている。
【００２９】
（フィードロール５の構成）
フィードロール５は、図２に示すように、給紙トレイ３の幅方向に沿って軸線をもつロール軸５０を有し、ロール軸５０を介して装置本体２（図３に２点鎖線で示す）に回動可能に支持され、全体が例えば金属部材によって形成されている。そして、フィードロール５は、コントローラ（図示せず）の制御による画像形成のタイミングによって回転・停止し、回転時に最上位の用紙を所定のニップ圧で押圧して給紙トレイ３外に送出するように構成されている。ロール軸５０の両端部には、それぞれカム機構８，８の回動アーム８１，８１が回動可能に支持されている。
【００３０】
（用紙捌き機構６の構成）
用紙捌き機構６は、図２に示すように、互いに接触回転可能な１対のレジロール６０，６１を有し、フィードロール５の給紙側に配置され、かつ装置本体２（図３に２点鎖線で示す）に保持されている。そして、用紙捌き機構６は、フィードロール５と共に用紙送出ユニット１０９（図１に示す）を構成し、フィードロール５によって給紙側に送出された用紙の先端を位置合わせるとともに、重なった状態で送出された用紙を分離して給紙方向に用紙を１枚ずつ供給するように構成されている。
【００３１】
一方のレジロール６０は、フィードロール５のロール軸５０に平行なロール軸６００を有し、ロール軸６００を介して装置本体２に回動可能に支持され、全体が例えば金属部材によって形成されている。そして、レジロール６０は、コントローラ（図示せず）の制御による画像形成のタイミングによって回転・停止するように構成されている。
【００３２】
ロール軸６００は、駆動軸（図示せず）に一方向クラッチ９を介して連結されている。そして、ロール軸６００は、駆動軸からの回転力を受けて給紙方向に、また歯車伝達機構７の作動による回転力を受けて給紙方向と反対の方向に回転するようにそれぞれ構成されている。ロール軸６００には、歯車伝達機構７におけるピニオンギヤ群７１のピニオンギヤ７１１に噛合するピニオンギヤ７１２が固定されている。
【００３３】
他方のレジロール６１は、一方のレジロール６０のロール軸６００に平行なロール軸６１０を有し、ロール軸６１０をロール軸挿通孔２１（図３に２点鎖線で示す）に挿通させて装置本体２に回転・移動可能に支持されている。レジロール６１が例えばゴム部材によって、ロール軸６１０が例えば金属部材によってそれぞれ形成されている。また、レジロール６１は、カム機構８，８（後述）の作動によって一方のレジロール６０に圧接して一方のレジロール６０との間に所定のニップ圧を発生するように構成されている。
【００３４】
（歯車伝達機構７の構成）
歯車伝達機構７は、図２及び図３に示すように、ラックギヤ７０及びピニオンギヤ群７１からなり、レジロール６０と給紙トレイ３との間に配置され、給紙トレイ３の装置本体２からの引き出し操作による作動によってレジロール６０を給紙方向と反対の方向に回転させるように構成されている。
【００３５】
ラックギヤ７０は、給紙トレイ３の左方トレイ側面部に設けられ、かつ給紙トレイ３の挿抜方向（矢印ａ１，ａ２方向）に沿って形成されている。
【００３６】
ピニオンギヤ群７１は、ピニオンギヤ７１０〜７１２からなり、装置本体２側に配置されている。ピニオンギヤ７１０は、ラックギヤ７０に噛合可能なピニオンギヤからなり、取付プレート２０に支軸２２を介して回転可能に支持されている。ピニオンギヤ７１１は、ピニオンギヤ７１０及びピニオンギヤ７１２に噛合するピニオンギヤからなり、取付プレート２０に支軸２３を介して回転可能に支持されている。ピニオンギヤ７１２は、ピニオンギヤ７１１に噛合するピニオンギヤからなり、一方向クラッチ９の給紙トレイ３側に配置され、かつレジロール６０のロール軸６００に固定されている。
【００３７】
（カム機構８，８の構成）
カム機構８，８は、図２に示すように、給紙トレイ３における左右両トレイ側面部の給紙側に配置されている。これらは略同一の構成であるため、例えば一方（左方）のカム機構８について説明する。なお、他方（右方）のカム機構８については、各部位の符号を一方のカム機構８の各部位の符号に対応して付し、その説明は省略する。
【００３８】
カム機構８は、図３に示すように、カム面８０，回動アーム（回転アーム）８１及び押圧力伝達具８２を有し、レジロール６１と給紙トレイ３との間に配置されている。そして、カム機構８は、装置本体２からの給紙トレイ３の初期段階における引き出し動作（第１引き出し動作）によって作動し、一方のレジロール６０に他方のレジロール６１を圧接するように構成されている。これにより、給紙トレイ３の第１引き出し動作時にレジロール６０がレジロール６１によって圧接された状態で給紙方向と反対の矢印ｂ方向に回転し、ジャム発生時に両レジロール６０，６１間に挟圧された用紙の給紙トレイ３側への引き戻しが行われる。
【００３９】
また、カム機構８は、第１引き出し動作に後行する第２引き出し動作によって作動し、レジロール６１のレジロール６０への圧接状態を解除するように構成されている。これにより、給紙トレイ３の第２引き出し動作時にレジロール６１によるレジロール６０の圧接状態が解除され、ジャム発生時に両レジロール６１，６０間に挟持された用紙の操作者の手作業による給紙トレイ３側への引き戻しが可能となる。
【００４０】
カム面８０は、トレイ前面部側からトレイ背面部側に向かって上る勾配をもつ傾斜面からなる第１カム面８００、及びトレイ前面部側からトレイ背面部側に向かって下る勾配をもつ傾斜面からなる第２カム面８０１、及び第２カム面８００と第１カム面８０１との間に介在する扁平面からなる第３カム面８０２からなり、ラックギヤ７０の内側に配置され、かつ給紙トレイ３の左方トレイ側面部における上面にトレイ挿抜方向に沿って形成されている。
【００４１】
回動アーム８１は、図４に示すように、アーム被支持部としてのアーム基部８１０、カム面８０から回動（回転）力を受ける回動力受部片８１１、及び押圧力伝達具８２にカム面８０からの回動力を押圧力として付与する押圧力付与部片８１２を有し、フィードロール５のロール軸５０に回動可能に支持され、全体が略Ｌ字状の部材によって形成されている。そして、回動アーム８１は、装置本体２への給紙トレイ３の挿入（押し入れ）によって、また装置本体２からの給紙トレイ３の引き抜き（引き出し）によってそれぞれ回動するように構成されている。
【００４２】
アーム基部８１０は、ロール軸５０の周囲に回動可能に配置され、全体が略円環体によって形成されている。
【００４３】
回動力受部片８１１は、カム面８０（図３に示す）に対応する平面略半円状の回動力受部８１１ａを有し、アーム基部８１０の外周面に突設され、給紙トレイ３の押し入れ・引き出しによるカム面８０への摺接によってカム面８０から回動力を受けるように構成されている。
【００４４】
押圧力付与部片８１２は、回動力受部片８１１に周方向に所定の間隔をもって並設され、かつアーム基部８１０の外周面に突設され、回動アーム８１の回動力を押圧力として押圧力伝達具８２に付与するように構成されている。
【００４５】
押圧力伝達具８２は、図４に示すように、ベースとしての伝達具本体８２０、回動アーム８１の押圧力付与部片８１２からの押圧力を受ける押圧力受部片８２１、及び押圧力受部片８２１からの押圧力を受けてレジロール６１のロール軸６１０をレジロール６０（図３に示す）のロール軸６００に圧接するロール圧接片８２２を有し、レジロール６１と回動アーム８１との間に配置され、かつ装置本体２（図３に２点鎖線で示す）に保持されている。
【００４６】
伝達具本体８２０は、装置本体（図３に２点鎖線で示す）２に対する取付部となるベース部８２０ａ、及び押圧力受部片８２１の一部を収容する角箱状の収容部８２０ｂからなり、装置本体２に取り付けられている。ベース部８２０ａには、レジロール６１のロール軸６１０を挿通させる長孔からなるロール軸挿通孔８２０ｃが設けられている。収容部８２０ｂには、押圧力受部片８２１の回動アーム８１側への移動を規制する移動規制部８２０ｄが設けられている。
【００４７】
押圧力受部片８２１は、押圧力付与部片８１１に対応する押圧力受部８２１ａ、ロール圧接片８２２に対向するスプリング位置決め部８２１ｂ、及び移動規制部８２０ｄに対応するストッパ部８２１ｃからなり、伝達具本体８２０に給紙トレイ３の挿抜方向に沿って往復可能に支持されている。
【００４８】
ロール圧接片８２２は、レジロール６１のロール軸６１０を挿通させる丸孔からなるロール挿通孔８２２ａ、及びスプリング位置決め部８２１ｂに対応するスプリング位置決め部８２２ｂ、及び過負荷吸収用のスプリング１０を受けるスプリング受部８２２ｃを有し、伝達具本体８２０に給紙トレイ３の挿抜方向に沿って往復可能に配置されている。
【００４９】
過負荷吸収用のスプリング１０は、スプリング位置決め部８２１ｂ，８２２ｂの周囲に配置され、かつスプリング受部８２２ｃと押圧力受部片８２１の内面（底面）との間に弾装されている。
【００５０】
〔給紙装置１のジャム発生時における動作〕
次に、本発明の第１の実施の形態に係る給紙装置のジャム発生時における動作につき、図２、図５（ａ），（ｂ）及び図６（ａ），（ｂ）を用いて説明する。図５（ａ）及び（ｂ）は、本発明の第１の実施の形態に係る給紙装置における給紙トレイの第１引き出し動作を説明するために示す側面図と断面図である。図５（ａ）は歯車伝達機構の動作状態を、また図５（ｂ）はカム機構の動作状態をそれぞれ示す。図６（ａ）及び（ｂ）は、本発明の第１の実施の形態に係る給紙装置における給紙トレイの第２引き出し動作を説明するために示す側面図と断面図である。図６（ａ）は歯車伝達機構の動作状態を、また図６（ｂ）はカム機構の動作状態をそれぞれ示す。
【００５１】
本実施の形態に示す給紙装置１のジャム発生時における動作は、「給紙トレイの第１引き出し動作時」と「給紙トレイの第２引き出し動作時」とに分けて説明する。
【００５２】
なお、給紙トレイ３が第１引き出し動作時の初期位置（装置本体２のトレイ挿入終了位置）に配置された状態においては、歯車伝達機構７のピニオンギヤ群７１のピニオンギヤ７１０が給紙トレイ３の第１引き出し動作によってラックギヤ７０に噛合する直前の位置に、カム機構８の回動アーム８１の回動力受部８１１ａがカム面８０の第１カム面８００上にそれぞれ配置される。また、給紙トレイ３が第２引き出し動作時の初期位置（装置本体２のトレイ挿抜方向中間位置）に配置された状態においては、歯車伝達機構７のピニオンギヤ群７１のピニオンギヤ７００がラックギヤ７０のギヤ終端位置で噛合する位置に、カム機構８の回動アーム８１の回動力受部８１１ａがカム面８０の第３カム面８０２上にそれぞれ配置される。
【００５３】
「給紙トレイの第１引き出し動作時」
歯車伝達機構７においては、図５（ａ）に示すように、操作者が装置本体２のトレイ給紙位置（装置本体２のトレイ挿入終了位置）に配置された給紙トレイ３を矢印ａ２方向に引き出すと、ピニオンギヤ群７１のピニオンギヤ７１０がラックギヤ７０のギヤ始端位置に噛合して矢印Ｒ１方向に回転する。この場合、ピニオンギヤ７１０が矢印Ｒ１方向に回転すると、この回転力をピニオンギヤ７１１が受けて矢印Ｒ２方向に回転し、この回転力をピニオンギヤ７１２が受けて矢印Ｒ３方向に回転する。このため、レジロール６０がピニオンギヤ７１２の回転方向と同一の方向（矢印Ｒ３方向）、すなわち給紙方向と反対の方向に回転する。
【００５４】
一方、カム機構８においては、装置本体２のトレイ給紙位置に配置された給紙トレイ３を矢印ａ２方向に引き出すと、回動アーム８１Ｂの回動力受部片８１１（回動力受部８１１ａ）がカム面８０の第１カム面８００上を第３カム面８０２に向かって摺動する。そして、給紙トレイ３の矢印ａ２方向への引き出しによって回動力受部８１１ａが第１カム面８００をさらに摺動すると、第１カム面８００を通過して第３カム面８０２に乗り上げる。このため、図５（ｂ）に示すように、回動アーム８１がロール軸５０を中心として矢印Ｒ４方向に回動し、この回動力を押圧力伝達具８２の押圧力受部片８２１（押圧力受部８２１ａ）が受ける。これに伴い、押圧力受部片８２１がスプリング１０の弾撥力に抗して矢印ａ２方向に往動し、この矢印ａ２方向にロール圧接片８２０を押圧する。この押圧力を受けたロール圧接片８２０が矢印ａ２方向に移動してレジロール６１をレジロール６０に圧接する。
【００５５】
これにより、給紙トレイ３の第１引き出し動作時には、カム機構８の作動によってレジロール６０がレジロール６１に圧接された状態を維持しながら、歯車伝達機構７の作動によってレジロール６０が給紙方向と反対の方向（図５（ａ）に示す矢印Ｒ３方向）に回転されるため、ジャム発生時に両レジロール６０，６１間に挟圧された用紙を給紙トレイ３側に引き戻すことができる。
【００５６】
「給紙トレイの第２引き出し動作時」
歯車伝達機構７においては、図６（ａ）に示すように、操作者が装置本体２のトレイ挿抜方向中間位置に配置された給紙トレイ３を矢印ａ２方向に引き出すと、ピニオンギヤ群７１のピニオンギヤ７１０がラックギヤ７０のギヤ終端位置を通過してその噛合状態を解除する。このため、レジロール６０が給紙トレイ３の引き出し動作によってピニオンギヤ群７１から回転力を受けることはない。
【００５７】
一方、カム機構８においては、装置本体２のトレイ挿抜方向中間位置に配置された給紙トレイ３を矢印ａ２方向に引き出すと、回動アーム８１の回動力受部片８１１（回動力受部８１１ａ）がカム面８０の第３カム面８０２から第２カム面８０１に向かって摺動する。そして、給紙トレイ３の矢印ａ２方向への引き出しによって回動力受部８１１ａが第３カム面８０２上をさらに摺動すると、第３カム面８０２を通過して第２カム面８０１に乗り移る。このため、図６（ｂ）に示すように、回動アーム８１がロール軸５０を中心として矢印Ｒ５方向に回動し、回動アーム８１の押圧力付与部片８１１による押圧力受部片８２１の圧接状態が解除される。これに伴い、押圧力受部片８２１がスプリング１０の弾撥力によって矢印ａ１方向に復動し、この動作に連動してロール圧接片８２２が弾性復帰する。
【００５８】
これにより、給紙トレイ３の第２引き抜き動作時には、カム機構８の作動によってレジロール６１によるレジロール６０の圧接状態が解除されるため、ジャム発生時に両レジロール６０，６１間に挟持された用紙の重力又は手作業による給紙トレイ３側への引き戻しが可能となる。
【００５９】
[第２の実施の形態]
次に、本発明の第２の実施の形態に係る給紙装置につき、図７及び図８を用いて説明する。図７は、本発明の第２の実施の形態に係る給紙装置が適用された画像形成装置の全体を説明するために示す断面図である。図８は、本発明の第２の実施の形態に係る給紙装置の全体を説明するために示す斜視図である。図７及び図８において、図１及び図２と同一又は同等の部材については同一の符号を付し、詳細な説明は省略する。
【００６０】
図７において、第２の実施の形態に示す画像形成装置２００は、用紙供給部１０３が収容空間１０５の給紙トレイ３の挿抜口と反対側に配置されている点に特徴がある。
【００６１】
このため、図８に示すように、給紙装置１２１は、用紙送出ユニット１０９（図１に示す）のフィードロール５，用紙捌き機構６，歯車伝達機構７及びカム機構８が給紙トレイ３の背面側（給紙トレイ３のトレイ挿抜方向端部における把手側端部と反対側の端部の側）に配置されている。
【００６２】
歯車伝達機構７は、ピニオンギヤ群７１がピニオンギヤ７１０〜７１３からなり、給紙トレイ３の背面側近傍に配置されている。ピニオンギヤ７１０は、ラックギヤ７０及びピニオンギヤ７１３に噛合可能なピニオンギヤからなり、取付プレート２０（図３に示す）に支軸２２を介して回転可能に支持されている。ピニオンギヤ７１１は、ピニオンギヤ７１２，７１３に噛合するピニオンギヤからなり、取付プレート２０に支軸２３を介して回転可能に支持されている。ピニオンギヤ７１２は、ピニオンギヤ７１１に噛合するピニオンギヤからなり、一方向クラッチ９の給紙トレイ３側に配置され、かつレジロール６０のロール軸６００に固定されている。ピニオンギヤ７１３は、ピニオンギヤ７１０，７１１に噛合するピニオンギヤからなり、取付プレート２０に支軸２５を介して回転可能に支持されている。
【００６３】
カム機構８は、カム面８０，回動アーム８１及び押圧力伝達具８２を有し、歯車伝達機構７の把手３０側に配置されている。
【００６４】
このように構成された給紙装置１２１のジャム発生時における動作は、第１の実施の形態に示す給紙装置１のジャム発生時における動作と同様に行われる。すなわち、給紙トレイ３の第１引き出し動作時には、カム機構８の作動によってレジロール６０がレジロール６１に圧接された状態を維持しながら、歯車伝達機構７の作動によってレジロール６０が給紙方向と反対の方向に回転されるため、ジャム発生時に両レジロール６０，６１間に挟圧された用紙を給紙トレイ３側に引き戻すことができる。また、給紙トレイ３の第２引き出し動作時には、カム機構８の作動によってレジロール６１によるレジロール６０の圧接状態が解除されるため、ジャム発生時に両レジロール６０，６１間に挟持された用紙の重力又は手作業による給紙トレイ３側への引き戻しが可能となる。
【００６５】
以上、本発明の画像形成装置を上記の実施の形態に基づいて説明したが、本発明は上記の実施の形態に限定されるものではなく、その要旨を逸脱しない範囲で種々の態様において実施することが可能であり、例えば次に示すような変形も可能である。
【００６６】
（１）各実施の形態では、給紙トレイ３の第１引き出し動作によってレジロール６０（一方のロール）がレジロール６１（他方のロール）から圧接力を受ける構造について説明したが、本発明はこれに限定されず、他方のロールが一方のロールから圧接力を受ける構造としてもよい。
【００６７】
（２）各実施の形態では、フィードロール５が装置本体２側に配置されている場合について説明したが、本発明はこれに限定されず、給紙トレイ側にフィードロールを配置しても何等差し支えない。
【００６８】
（３）各実施の形態では、装置本体２からの給紙トレイ３の引き出しによってレジロール６０（一方のレジロール）が給紙方向と反対の方向に回転可能に配置されている場合について説明したが、本発明はこれに限定されず、他方のレジロールを給紙方向と反対の方向に回転可能に配置してもよく、両レジロールを給紙方向と反対の方向に回転可能に配置してもよい。すなわち要するに、本発明は、１対のレジロールのうち少なくとも一方のレジロールが装置本体からの給紙トレイの引き出しによって給紙方向と反対の方向に回転可能に配置されていればよい。
【００６９】
（４）各実施の形態では、用紙供給部１０３（給紙トレイ３）が装置筐体１０１内に１段構成として組み込まれている場合について説明したが、本発明はこれに限定されず、２段，３段，…の複数段構成として組み込んでもよい。
【００７０】
（５）各実施の形態では、複写機に適用する場合について説明したが、本発明はこれに限定されず、プリンタ又はファクシミリに適用しても勿論よく、複写機，プリンタ及びファクシミリのうち少なくとも２つを組み合わせてなる複合機に適用してもよい。
【００７１】
（６）各実施の形態では、画像形成装置１００，２００が単一の感光体ドラム１１１を用いたモノクロ画像形成装置である場合について説明したが、本発明はこれに限定されず、複数の感光体ドラムを用いたカラー画像形成装置であってもよい。
【図面の簡単な説明】
【００７２】
【図１】図１は、本発明の第１の実施の形態に係る給紙装置が適用された画像形成装置の全体を説明するために示す断面図である。
【図２】本発明の第１の実施の形態に係る給紙装置の全体を説明するために示す斜視図である。
【図３】図３は、本発明の第１の実施の形態に係る給紙装置の要部を説明するために示す側面図である。
【図４】図４は、本発明の第１の実施の形態に係る給紙装置の要部を説明するために示す断面図である。
【図５】図５（ａ）及び（ｂ）は、本発明の第１の実施の形態に係る給紙装置における給紙トレイの第１引き出し動作を説明するために示す側面図と断面図である。
【図６】図６（ａ）及び（ｂ）は、本発明の第１の実施の形態に係る給紙装置における給紙トレイの第２引き出し動作を説明するために示す側面図と断面図である。
【図７】図７は、本発明の第２の実施の形態に係る給紙装置が適用された画像形成装置の全体を説明するために示す断面図である。
【図８】図８は、本発明の第２の実施の形態に係る給紙装置の全体を説明するために示す斜視図である。
【符号の説明】
【００７３】
１…給紙装置、２…装置本体、３…給紙トレイ、４…傾動プレート、５…フィードロール、６…用紙捌き機構、７…歯車伝達機構、８…カム機構、９…一方向クラッチ、１０…スプリング、２０…取付プレート、２１…ロール軸挿通孔、２２，２３…支軸、２４…ストッパ、２５…支軸、３０…把手、５０…ロール軸、６０，６１…レジロール、７０…ラックギヤ、７１…ピニオンギヤ群、８０…カム面、８１…回動アーム、８２…押圧力伝達具、１００…画像形成装置、１０１…装置筐体、１０２…画像形成部、１０３…用紙供給部、１０４…排出トレイ、１０５…収容空間、１０６…用紙搬送路、１０９…用紙送出ユニット、１１１…感光体ドラム、１１２…帯電装置、１１３…現像装置、１１４…クリーニング装置、１１５…露光装置、１１６…転写装置、１１７…定着装置、１２１…給紙装置、２００…画像形成装置、６００，６１０…ロール軸、７１０〜７１３…ピニオンギヤ、８００…第１カム面、８０１…第２カム面、８０２…第３カム面、８１０…アーム基部、８１１…回動力受部片、８１１ａ…回動力受部、８１２…押圧力付与部片、８２０…伝達具本体、８２０ａ…ベース部、８２０ｂ…収容部、８２０ｃ…ロール軸挿通孔、８２０ｄ…移動規制部、８２１…押圧力受部片、８２１ａ…押圧力受部、８２１ｂ…スプリング位置決め部、８２１ｃ…ストッパ部、８２２…ロール圧接片、８２２ａ…ロール軸挿通孔、８２２ｂ…スプリング位置決め部、８２２ｃ…スプリング受部
【図１】
2010076882.tif 000003
【図２】
2010076882.tif 000004
【図３】
2010076882.tif 000005
【図４】
2010076882.tif 000006
【図５】
2010076882.tif 000007
【図６】
2010076882.tif 000008
【図７】
2010076882.tif 000009
【図８】
2010076882.tif 000010